(57)【要約】  当該バックライトモジュールフレームは、中枠と固定部材とを含み、当該中枠は中空の枠体であり、中枠の内側に表示パネル支持台が配置され、当該表示パネル支持台は、第１の表示パネルを支持するために使用され、当該固定部材は、中枠に着脱可能に接続され、固定部材が中枠に接続されると、表示パネル支持台と固定部材と中枠との間に、表示パネル収容溝が形成される。第１の表示パネルを搬送する過程において、本開示によって提供されたバックライトモジュールフレームは、表示パネルを傷つけないように第１の表示パネルを保護することができ、表示装置の表示効果を確保することができる。
2021536029.tif 000002
【特許請求の範囲】
【請求項１】
中枠（１１０）と少なくとも１つの固定部材（１２０）とを含み、
前記中枠（１１０）は中空の枠体であり、前記中枠（１１０）の内側に表示パネル支持台（１１１）が配置され、
各前記固定部材（１２０）はいずれも前記中枠（１１０）に接続され、前記表示パネル支持台（１１１）と前記固定部材（１２０）と前記中枠（１１０）との間に、表示パネル収容溝が形成される、
バックライトモジュールフレーム。
【請求項２】
前記固定部材（１２０）は、互いに接続された第１の固定部（１２１）および第２の固定部（１２２）を含み、前記固定部材（１２０）は、前記第１の固定部（１２１）を介して前記中枠（１１０）に接続され、前記固定部材（１２０）は、前記第２の固定部（１２２）を介して前記表示パネル支持台（１１１）とともに前記表示パネル収容溝を形成する請求項１に記載のバックライトモジュールフレーム。
【請求項３】
前記第１の固定部（１２１）は板状構造であり、前記第１の固定部（１２１）は前記中枠（１１０）の外側に接続されている請求項２に記載のバックライトモジュールフレーム。
【請求項４】
前記第１の固定部（１２１）には貫通穴（００１）が設けられ、前記第１の固定部（１２１）は前記貫通穴（００１）を介して前記中枠（１１０）に固定されている請求項３に記載のバックライトモジュールフレーム。
【請求項５】
前記中枠（１１０）の外側に突起構造（００２）が配置され、前記突起構造（００２）は、前記第１の固定部（１２１）の前記貫通穴（００１）内にクランプされている請求項４に記載のバックライトモジュールフレーム。
【請求項６】
前記中枠（１１０）の外側にネジ穴（００３）が設けられ、前記中枠（１１０）における前記ネジ穴（００３）と前記第１の固定部（１２１）における前記貫通穴（００１）は１対１で対応し、前記第１の固定部（１２１）は、ボルト（００４）を介して前記中枠（１１０）に固定されている請求項４に記載のバックライトモジュールフレーム。
【請求項７】
前記第１の固定部（１２１）と前記中枠（１１０）は接着固定されている請求項３に記載のバックライトモジュールフレーム。
【請求項８】
前記第１の固定部（１２１）はクランプ脚であり、前記クランプ脚は前記中枠（１１０）にクランプされている請求項２に記載のバックライトモジュールフレーム。
【請求項９】
前記中枠（１１０）の少なくとも１つの枠辺の上端面には、クランプスロット（００５）が設けられ、前記クランプ脚は、前記クランプスロット（００５）内にクランプされ、
前記中枠（１１０）の上端面は、前記中枠（１１０）が前記第２の固定部（１２２）に接触する面である、
請求項８に記載のバックライトモジュールフレーム。
【請求項１０】
前記クランプスロット（００５）の頂部の幅（ａ）は、底部の幅（ｂ）より小さく、
前記クランプ脚の頂部の幅（ｃ）と底部の幅（ｄ）はいずれも中部の幅（ｆ）より小さく、
前記頂部は前記底部に対して前記上端面に近く、前記クランプスロット（００５）の幅方向は、前記クランプスロット（００５）が設けられた枠辺の延在方向に垂直であり、前記クランプ脚の幅方向は、前記クランプスロット（００５）の幅方向に平行である、
請求項９に記載のバックライトモジュールフレーム。
【請求項１１】
前記固定部材（１２０）は、２つの前記第１の固定部（１２１）を含み、２つの前記第１の固定部（１２１）は、間隔をおいて配置されている請求項８から１０のいずれか１項に記載のバックライトモジュールフレーム。
【請求項１２】
前記第１の固定部（１２１）は、対向して配置された第１の固定ピース（１２１０）と第２の固定ピース（１２１１）とを含み、
前記第１の固定ピース（１２１０）と前記第２の固定ピース（１２１１）との間の距離は、第１の方向（Ａ）に沿って最初に増加し、次いで減少し、前記第１の方向（Ａ）は、第１の固定部（１２１）の第１の端（１２１Ａ）から第２の端（１２１Ｂ）に向かう方向であり、前記第１の端（１２１Ａ）は、前記第１の固定部（１２１）が前記第２の固定部（１２２）に接触する端であり、前記第２の端（１２１Ｂ）は、前記第２の固定部（１２２）の張出端である、
請求項８から１１のいずれか１項に記載のバックライトモジュールフレーム。
【請求項１３】
前記第２の固定部（１２２）は板状構造であり、前記第２の固定部（１２２）と前記表示パネル支持台（１１１）は、平行に配置されている請求項２から１２のいずれか１項に記載のバックライトモジュールフレーム。
【請求項１４】
前記表示パネル支持台（１１１）には接着構造（１１１０）が設けられ、前記接着構造（１１１０）は、前記表示パネル支持台（１１１）の前記第２の固定部（１２２）に向かう面に位置する請求項２から１３のいずれか１項に記載のバックライトモジュールフレーム。
【請求項１５】
複数の前記固定部材（１２０）を含み、複数の前記固定部材（１２０）は、前記中枠（１１０）に周設されている請求項１から１４のいずれか１項に記載のバックライトモジュールフレーム。
【請求項１６】
前記固定部材（１２０）は、射出成形材またはステンレス鋼製の金属材料からなる請求項１から１５のいずれか１項に記載のバックライトモジュールフレーム。
【請求項１７】
請求項１から１６のいずれか１項に記載のバックライトモジュールフレームを含むバックライトモジュールであって、
バックプレート（１４０）、導光板（１５０）、光学フィルム（１６０）、および光源（１７０）をさらに含み、
前記光源（１７０）、前記導光板（１５０）、及び前記光学フィルム（１６０）は、いずれも前記バックプレート（１４０）に設けられ、且ついずれも前記中枠（１１０）の表示パネル支持台（１１１）の前記表示パネル収容溝とは反対側を向いた側に位置するバックライトモジュール。
【請求項１８】
第１の表示パネル（１３０）および請求項１７に記載のバックライトモジュールを含み、前記バックライトモジュールは、中枠（１１０）と固定部材（１２０）とを含み、
前記第１の表示パネル（１３０）は、前記表示パネル支持台（１１１）と前記固定部材（１２０）との間の表示パネル収容溝内に配置されている、
表示モジュール。
【請求項１９】
第２の表示パネル（１８０）および請求項１８に記載の表示モジュールを含み、
前記第２の表示パネル（１８０）は、前記第１の表示パネル（１３０）の前記バックライトモジュールから離れた側に配置されている、
表示装置。
【発明の詳細な説明】
【技術分野】
【０００１】
本開示は、表示技術の分野に関し、特にバックライトモジュールフレーム、バックライトモジュール、表示モジュール、および表示装置に関するものである。
【０００２】
本発明は、２０１８年０９月１８日に提出された出願番号２０１８１１０８９４６１.５、名称「バックライトモジュール、表示モジュール、および表示装置」の中国特許出願の優先権を主張し、その全ての内容は参照により本明細書に援用する。
【背景技術】
【０００３】
液晶表示装置における表示パネルは、画像を表示するためにバックライトモジュールによって提供された光源を使用する必要がある。液晶表示装置の高い動的コントラストを実現するために、通常、液晶表示装置には二層表示パネルが設けられている。
【０００４】
関連技術では、パネルメーカーは通常、２つの表示パネルを貼り付けて下流メーカーに販売し、下流メーカーは、二層表示パネルとバックライトモジュールを組み立てることにより、液晶表示装置を得ることができる。
【発明の概要】
【課題を解決するための手段】
【０００５】
本開示の実施例は、バックライトモジュールフレーム、バックライトモジュール、表示モジュール、および表示装置を提供する。
【０００６】
本開示の少なくとも１つの実施例によると、中枠と固定部材とを含み、
前記中枠は中空の枠体であり、前記中枠の内側に表示パネル支持台が配置され、前記表示パネル支持台は、前記第１の表示パネルを支持するために使用され、
各前記固定部材はいずれも前記中枠に接続され、前記表示パネル支持台と前記固定部材と前記中枠との間に、表示パネル収容溝が形成される、
バックライトモジュールフレームに関する。
【０００７】
選択肢の一つとして、前記固定部材は、互いに接続された第１の固定部および第２の固定部を含み、前記固定部材は、前記第１の固定部を介して前記中枠に接続され、前記固定部材は、前記第２の固定部を介して前記表示パネル支持台とともに前記表示パネル収容溝を形成する。
【０００８】
選択肢の一つとして、前記第１の固定部は板状構造であり、前記第１の固定部は前記中枠の外側に接続されている。
【０００９】
選択肢の一つとして、前記第１の固定部には貫通穴が設けられ、前記第１の固定部は前記貫通穴を介して前記中枠に固定されている。
【００１０】
選択肢の一つとして、前記中枠の外側に突起構造が配置され、前記突起構造は、前記第１の固定部の前記貫通穴内にクランプされている。
【００１１】
選択肢の一つとして、前記中枠の外側にネジ穴が設けられ、前記中枠における前記ネジ穴と前記第１の固定部における前記貫通穴は１対１で対応し、前記第１の固定部は、ボルトを介して前記中枠に固定されている。
【００１２】
選択肢の一つとして、前記第１の固定部と前記中枠は接着固定されている。
【００１３】
選択肢の一つとして、前記第１の固定部はクランプ脚であり、前記クランプ脚は前記中枠にクランプされている。
【００１４】
選択肢の一つとして、前記中枠の少なくとも１つの枠辺の上端面には、クランプスロットが設けられ、前記クランプ脚は、前記クランプスロット内にクランプされ、
ここで、前記中枠の上端面は、前記中枠が前記第２の固定部に接触する面である。
【００１５】
選択肢の一つとして、前記クランプスロットの頂部の幅は、底部の幅より小さく、
前記クランプ脚の頂部の幅と底部の幅はいずれも中部の幅より小さく、
ここで、前記頂部は前記底部に対して前記上端面に近く、前記クランプスロットの幅方向は、前記クランプスロットが設けられた枠辺の延在方向に垂直であり、前記クランプ脚の幅方向は、前記クランプスロットの幅方向に平行である。
【００１６】
選択肢の一つとして、前記固定部材は、２つの前記第１の固定部を含み、２つの前記第１の固定部は、間隔をおいて配置されている。
【００１７】
選択肢の一つとして、各前記第１の固定部は、対向して配置された第１の固定ピースと第２の固定ピースとを含み、
前記第１の固定ピースと前記第２の固定ピースとの間の距離は、第１の方向に沿って最初に増加し、次いで減少し、前記第１の方向は、第１の固定部の第１の端から第２の端に向かう方向であり、前記第１の端は、前記第１の固定部が前記第２の固定部に接触する端であり、前記第２の端は、前記第２の固定部の張出端である。
【００１８】
選択肢の一つとして、前記第２の固定部は板状構造であり、前記第２の固定部と前記表示パネル支持台は、平行に配置されている。
【００１９】
選択肢の一つとして、前記表示パネル支持台には接着構造が設けられ、前記接着構造は、前記表示パネル支持台の前記第２の固定部に向かう面に位置する。
【００２０】
選択肢の一つとして、前記バックライトモジュールフレームは、複数の前記固定部材を含み、複数の前記固定部材は、前記中枠に周設されている。
【００２１】
選択肢の一つとして、前記固定部材は、射出成形材またはステンレス鋼製の金属材料からなる。
【００２２】
本開示の少なくとも１つの実施例によると、前述のいずれか１項に記載のバックライトモジュールフレームを含むバックライトモジュールであって、
バックプレート、導光板、光学フィルム、および光源をさらに含み、
前記光源、前記導光板、及び前記光学フィルムは、いずれも前記バックプレートに設けられ、且ついずれも前記中枠の表示パネル支持台の前記表示パネル収容溝とは反対側を向いた側に位置するバックライトモジュールに関する。
【００２３】
本開示の少なくとも１つの実施例によると、第１の表示パネルおよび前述したようなバックライトモジュールを含み、前記バックライトモジュールは、中枠と固定部材とを含み、
前記第１の表示パネルは、前記表示パネル支持台と前記固定部材との間の表示パネル収容溝内に配置されている、
表示モジュールに関する。
【００２４】
本開示の少なくとも１つの実施例によると、第２の表示パネルおよび前述したような表示モジュールを含み、
前記第２の表示パネルは、前記第１の表示パネルの前記バックライトモジュールから離れた側に配置されている、
表示装置に関する。
【図面の簡単な説明】
【００２５】
【図１】本開示の実施例によるバックライトモジュールフレームの部分的な構造概略図である。
【図２】本開示の実施例による中枠の構造概略図である。
【図３】本開示の実施例による固定部材の構造概略図である。
【図４】本開示の実施例による別の中枠の構造概略図である。
【図５】本開示の実施例によるバックライトモジュールの構造概略図である。
【図６】本開示の実施例によるさらに別の中枠の構造概略図である。
【図７】本開示の実施例による別のバックライトモジュールの構造概略図である。
【図８】本開示の実施例による別の固定部材の構造概略図である。
【図９】本開示の実施例によるさらに別の固定部材の構造概略図である。
【図１０】図９に示す固定部材の平面図である。
【図１１】本開示の実施例による別の中枠の構造概略図である。
【図１２】図９に示す固定部材の側面図である。
【図１３】本開示の実施例によるさらに別のバックライトモジュールの構造概略図である。
【図１４】本開示の実施例によるさらに別の中枠の構造概略図である。
【図１５】本開示の実施例による別のバックライトモジュールの構造概略図である。
【図１６】本開示の実施例によるさらに別のバックライトモジュールの構造概略図である。
【図１７】本開示の実施例による表示装置の構造概略図である。
【発明を実施するための形態】
【００２６】
本開示の実施例の目的、技術案および利点をより明確にするために、以下、図面を参照して本開示の実施形態をさらに詳細に説明する。
【００２７】
関連技術では、二層表示パネルが保護を提供するためのバックライトモジュールを有さないので、二層表示パネルを搬送する過程において、表示パネルが傷付きやすく、液晶表示装置の表示効果に影響を及ぼす。
【００２８】
図１は、本開示の実施例によるバックライトモジュールフレームの部分的な構造概略図である。当該バックライトモジュールフレームは、バックライトモジュールのフレームであり、バックライトモジュールは、第１の表示パネル１３０に光源を供給することができる。図１に示すように、当該バックライトモジュールフレームは、中枠１１０と固定部材１２０とを含むことができる。図２は、本開示の実施例による中枠の構造概略図であり、図２を参照すると、当該中枠１１０は中空の枠体であってもよく、当該中枠１１０の内側に表示パネル支持台１１１が配置され、当該表示パネル支持台１１１は第１の表示パネル１３０を支持することができる。
【００２９】
固定部材１２０は中枠１１０に接続され、表示パネル支持台１１１と固定部材１２０と中枠１１０との間に、表示パネル収容溝が形成される。
【００３０】
以上のように、本開示の実施例は、バックライトモジュールフレームを提供し、当該バックライトモジュールフレームは、中枠と固定部材とを含み、当該中枠は中空の枠体であり、当該中枠の内側に表示パネル支持台が配置され、当該表示パネル支持台は第１の表示パネルを支持するために使用される。当該バックライトモジュールフレームは、固定部材をさらに含み、当該固定部材は中枠に接続され、表示パネル支持台と固定部材と中枠との間に、表示パネル収容溝が形成されることにより、当該表示パネル収容溝内に第１の表示パネルを配置することができ、そして、固定部材によって、第１の表示パネルを中枠に固定することができる。したがって、搬送する過程において、バックライトモジュールフレームは、表示パネルを傷つけないように第１の表示パネルを保護することができ、表示装置の表示効果を確保することができる。
【００３１】
図１に示すように、当該固定部材１２０は、互いに接続された第１の固定部１２１および第２の固定部１２２を含むことができ、固定部材１２０は、第１の固定部１２１を介して中枠１１０に接続され、固定部材１２０は、第２の固定部１２２を介して表示パネル支持台１１１とともに表示パネル収容溝を形成する。
【００３２】
即ち、当該第１の固定部１２１は中枠１１０に固定されることができ、当該第２の固定部１２２は支持台１１１に対向して配置されることができ、第１の表示パネル１３０は支持台１１１と第２の固定部１２２との間に配置されることができる。
【００３３】
当該固定部材は、互いに接続された第１の固定部および第２の固定部を含み、当該第１の固定部は、中枠に固定されるように構成され、当該第２の固定部は、表示パネル支持台に対向して配置され、第１の表示パネルは、表示パネル支持台と第２の固定部との間に配置されるように構成される。バックライトモジュールに固定部材を設けることにより、当該固定部材は、第１の表示パネルを中枠に固定することができる。したがって、搬送する過程において、バックライトモジュールは、表示パネルを傷つけないように第１の表示パネルを保護することができ、表示装置の表示効果を確保することができる。
【００３４】
選択肢の一つとして、図１を参照すると、表示パネル支持台１１１の第２の固定部１２２に向かう面には接着構造１１１０が設けられている。当該接着構造１１１０は、表示パネルと表示パネル支持台１１１との接着を実現するフォーム両面粘着テープ、グルーなどであってもよい。当該グルーは、光学透明樹脂（Ｏｐｔｉｃａｌｌｙ  Ｃｌｅａｒ  Ｒｅｓｉｎ、ＯＣＲ）または光学透明接着剤（Ｏｐｔｉｃａｌｌｙ  Ｃｌｅａｒ  Ａｄｈｅｓｉｖｅ、ＯＣＡ）であってもよい。
【００３５】
図２に示すように、表示パネル支持台１１１は、２つの支持板から構成されることができる。２つの支持板は、それぞれ中枠１１０の２つの対向した辺に密着されて設けられている。
【００３６】
他の実施形態では、表示パネル支持台１１１は、３つまたは４つの支持板から構成されていてもよい。３つまたは４つの支持板は、それぞれ中枠１１０の３つまたは４つの隣接した辺に密着されて設けられている。
【００３７】
本開示の実施例の一実施形態では、当該第１の固定部１２１は板状構造であってもよく、第１の固定部１２１は中枠１１０の外側に接続されてもよい。
【００３８】
本開示の実施例の別の実施形態では、当該第１の固定部１２１はクランプ脚であってもよく、クランプ脚は中枠１１０にクランプされてもよい。
【００３９】
以下、図面を参照して、上記の２つの第１の固定部１２１の構造および中枠１１０との接続方法を説明する。
【００４０】
図３は、本開示の実施例による固定部材の構造概略図である。図１および図３に示すように、当該第１の固定部１２１と第２の固定部１２２は、いずれも板状構造であってもよく、当該第１の固定部１２１は第２の固定部１２２に垂直であり、当該第２の固定部１２２は表示パネル支持台１１１に平行である。当該第１の固定部１２１には貫通穴００１が設けられ、当該第１の固定部１２１は貫通穴００１を介して中枠１１０に固定されることができる。
【００４１】
本開示の実施例の選択可能な実施形態では、図４に示すように（図４にはバックライトモジュールフレームの一部のみが示されている）、当該中枠１１０の外側に突起構造００２が配置されてもよく、当該突起構造００２の突起方向は第１の固定部１２１の板面に垂直である。図５を参照すると、当該突起構造００２は、第１の固定部１２１の貫通穴００１（図５では図示せず）内にクランプされてもよく、これにより、第１の固定部１２１は、当該中枠１１０に固定接続され得る。
【００４２】
図３から図５に示すように、本発明の実施例では、当該貫通穴００１は円孔であり、これに応じて、突起構造００２は円筒構造である。
【００４３】
他の実施形態では、当該貫通穴００１は、他の形状の穴であってもよく、これに応じて、突起構造００２は、断面が貫通穴００１と同じ形状を有する柱状構造であってもよい。
【００４４】
本開示の実施例の別の選択可能な実施形態では、図６に示すように、中枠１１０の外側にネジ穴００３が設けられ、当該中枠１１０におけるネジ穴００３と第１の固定部１２１における貫通穴００１は１対１で対応する。図７に示すように、第１の固定部１２１は、ボルト００４を介して中枠１１０に固定されることができる。
【００４５】
当該実施形態では、第１の固定部１２１における貫通穴００１は、ネジ穴であってもよいし、ネジのない非ネジ穴であってもよいし、本開示の実施例はこれを限定しない。
【００４６】
本開示の実施例では、第１の固定部１２１には、第１の固定部１２１と中枠１１０との接続安定性を確保するために複数の貫通穴００１を設けてもよい。複数の貫通穴００１は、第１の固定部１２１の長手方向に沿って配置されてもよい。例えば、図３に示すように、第１の固定部１２１に２つの貫通穴０１１を設けることができる。
【００４７】
図８は、本開示の実施例による別の固定部材の構造概略図である。図８に示すように、当該第１の固定部１２１と第２の固定部１２２は、いずれも板状構造であってもよく、当該第１の固定部１２１は第２の固定部１２２に垂直であり、当該第２の固定部１２２は表示パネル支持台１１１に平行である。当該第１の固定部１２１と中枠１１０は、接着固定されることができる。選択肢の一つとして、当該第１の固定部１２１と中枠１１０は、接着テープまたは接着剤によって接着固定されることができる。
【００４８】
図９は、本開示の実施例によるさらに別の固定部材の構造概略図であり、図１０は、図９に示す固定部材の平面図である。図９および図１０に示すように、当該第２の固定部１２２は、表示パネル支持台１１１に平行である板状構造であってもよく、当該第１の固定部１２１はクランプ脚であってもよい。
【００４９】
図１１は、本開示の実施例による別の中枠の構造概略図である。図１１に示すように、当該中枠１１０には、クランプスロット００５が設けられてもよく、当該クランプ脚１２１は、クランプスロット００５内にクランプされることにより、当該中枠１１０に固定されることができる。
【００５０】
選択肢の一つとして、図１１を参照すると、当該中枠１１０の少なくとも１つの枠辺の上端面には、当該クランプスロット００５が設けられ、クランプスロット００５の頂部の幅ａは、底部の幅ｂより小さい。図１２は、図９に示す固定部材の側面図である。図１２に示すように、当該クランプ脚１２１の頂部の幅ｃと底部の幅ｄはいずれも中部の幅ｆより小さくてもよい。図１３は、本開示の実施例によるさらに別のバックライトモジュールの構造概略図である。図１３に示すように、当該クランプ脚１２１は、クランプスロット００５内にクランプされてもよく、そして、クランプ脚１２１の頂部の幅ｃと底部の幅ｄがいずれも中部の幅ｆより小さいため、クランプ脚１２１のクランプスロット００５からの脱落を回避でき、第１の固定部１２１と中枠１１０との接続安定性が確保される。
【００５１】
ここで、中枠１１０の上端面は、第２の固定部１２２に接触する面であってもよい。クランプスロット００５およびクランプ脚１２１の頂部は、底部に対して当該上端面に近い。クランプスロット００５の幅方向は、クランプスロット００５が設けられた枠辺の延在方向に垂直であり、クランプ脚１２１の幅方向は、クランプスロット００５の幅方向に平行である。
【００５２】
本開示の実施例では、第２の固定部１２２の長手方向は、クランプスロット００５が設けられた枠辺の延在方向に垂直であってもよい。図９および図１０を参照すると、当該固定部材１２０は、２つの第１の固定部１２１を含むことができ、２つの第１の固定部１２１は、第２の固定部１２２の両端に設けられ、２つの第１の固定部１２１間の接続線方向は、第２の固定部１２２の長手方向に平行である。各第１の固定部１２１は、対向して配置された第１の固定ピース１２１０と第２の固定ピース１２１１とを含むことができ、当該２つの固定ピースの形状は同じであってもよい。図１２を参照すると、当該第１の固定ピース１２１０と第２の固定ピース１２１１との間の距離は、第１の方向Ａに沿って最初に増加し、次いで減少し、当該第１の方向Ａは、第１の固定部１２１の第１の端１２１Ａから第２の端１２１Ｂに向かう方向であり、第１の端１２１Ａは、第１の固定部１２１が第２の固定部１２２に接触する端であり、第２の端１２１Ｂは、第２の固定部１２２の張出端である。
【００５３】
例えば、図９を参照すると、各固定ピースは、曲げられた板状構造であってもよい。選択肢の一つとして、当該第１の固定ピース１２１０の底端と第２の固定ピース１２１１の底端との間の距離は、クランプスロット００５の頂部の幅ａより小さくてもよく、この結果、クランプスロット００５内のクランプ脚のクランプを容易にする。
【００５４】
図９に示すように、各第１の固定部１２１には、貫通穴００６を設けることもでき、貫通穴００６を設けることにより、当該曲げられた板状構造を容易に加工することができる。選択肢の一つとして、当該第１の固定ピース１２１０と第２の固定ピース１２１１とは、一体構造であってもよい。当該第１の固定部１２１と当該第２の固定部１２２とは、一体構造であってもよい。
【００５５】
図１４は、本開示の実施例によるさらに別の中枠の構造概略図である。図１４に示すように、当該中枠１１０の外側には、複数のクランプスロット００５が設けられてもよく、各クランプスロット００５は溝であってもよく、当該溝のくぼみ方向は、第１の固定部１２１の板面に垂直である。クランプ脚１２１は、当該中枠１１０における複数のクランプスロット００５に１対１で対応する複数の突起構造であってもよい。図１５に示すように、当該複数の突起構造は、対応する溝内にクランプされることにより、中枠１１０に固定されることができる。
【００５６】
本開示の実施例によるバックライトモジュールフレームは、複数の固定部材１２０を含むことができる。当該複数の固定部材１２０は、中枠１１０に周設されることができる。中枠１１０に複数の固定部材１２０を周設することにより、第１の表示パネル１３０の固定信頼性を向上させることができる。
【００５７】
選択肢の一つとして、当該固定部材１２０は、射出成形材またはステンレス鋼製の金属材料からなることができる。当該固定部材１２０が射出成形材からなる場合、第２の固定部１２２の厚さは、０.５ｍｍ（ミリメートル）より大きい。例として、当該射出成形材は、ポリカーボネート材料であってもよい。固定部材１２０がステンレス鋼製の金属材料からなる場合、第２の固定部の厚さは、０.１５ｍｍであってもよい。例として、当該ステンレス鋼製の金属材料は、ＳＵＳ３０１材料であってもよい。ここで、第２の固定部１２２の厚さ方向は、表示パネル支持台１１１の支持面に垂直である。
【００５８】
本開示の実施例では、バックライトモジュールを提供する。当該バックライトモジュールは、前述したようなバックライトモジュールフレームを含む。図５、図７、図１３および図１５を参照すると、当該バックライトモジュールは、バックプレート１４０、導光板１５０、光学フィルム１６０、および光源１７０をさらに含む。当該光源１７０、導光板１５０、及び光学フィルム１６０は、いずれもバックプレート１４０に設けられ、且ついずれも中枠１１０の表示パネル支持台１１１の第１の表示パネル１３０から離れた側に位置する。ここで、当該バックプレート１４０は中枠１１０の底部に位置し、導光板１５０はバックプレート１４０上に位置し、光学フィルム１６０は導光板１５０のバックプレート１４０から離れた側に位置し、且つ表示パネル支持台１１１の第１の表示パネル１３０から離れた側に位置し、光源１７０は導光板１５０の側面に位置する。ここで、光源１７０は、回路基板１７１に設けられた発光ダイオード（Ｌｉｇｈｔ  Ｅｍｉｔｔｉｎｇ  Ｄｉｏｄｅ、ＬＥＤ）であってもよく、例えば、光源１７０は、半田によって回路基板１７１にはんだ付けされることができる。当該光学フィルム１６０は、偏光子、拡散シート、及びプリズムフィルムのうちの少なくとも１つを含むことができる。
【００５９】
本開示の実施例では、光源１７０の配置方向に応じて、バックライトモジュールは、側入型バックライトモジュールと直下型バックライトモジュールに分けられる。図５に示すように、側入型バックライトモジュールの光源１７０は、導光板１５０の側面に設けられている。図１６に示すように、直下型バックライトモジュールにおける光源１７０は、導光板１５０の底部、すなわち導光板１５０の光学フィルム１６０から離れた側に位置している。
【００６０】
以上のように、本開示の実施例では、バックライトモジュールを提供し、当該バックライトモジュールは、中枠と固定部材とを含み、当該中枠は中空の枠体であり、当該中枠の内側に表示パネル支持台が配置され、当該表示パネル支持台は、第１の表示パネルを支持するために使用されている。当該固定部材は、互いに接続された第１の固定部および第２の固定部を含み、当該第１の固定部は、中枠（１１０）に固定されるように構成され、当該第２の固定部は、表示パネル支持台に対向して配置され、第１の表示パネルは、表示パネル支持台と第２の固定部との間に設けられている。バックライトモジュールに固定部材を設けることにより、当該固定部材は、第１の表示パネルを中枠に固定することができる。したがって、搬送する過程において、バックライトモジュールは、表示パネルを傷つけないように第１の表示パネルを保護することができ、表示装置の表示効果を確保することができる。
【００６１】
本開示の実施例では、表示モジュールを提供し、当該表示モジュールは、第１の表示パネル１３０およびバックライトモジュールを含み、当該バックライトモジュールは、図１、図５、図７、図１３、図１５または図１５に示されたようなバックライトモジュールであってもよい。上述の図面を参照すると、当該バックライトモジュールは、中枠１１０と固定部材１２０とを含むことができる。当該中枠１１０は、中空の枠体であり、中枠１１０の内側に表示パネル支持台１１１が配置される。当該固定部材１２０は、互いに接続された第１の固定部１２１および第２の固定部１２２を含む。当該第１の表示パネル１３０は、表示パネル支持台１１１と固定部材１２０における第２の固定部１２２との間に設けられている。
【００６２】
選択肢の一つとして、当該第１の表示パネル１３０は、フォーム両面粘着テープによって表示パネル支持台１１１に接着されてもよいし、あるいは、グルーによって表示パネル支持台１１１に接着されてもよい。当該グルーは、ＯＣＲまたはＯＣＡであってもよい。
【００６３】
本開示の実施例では、表示装置をさらに提供し、図１７に示すように、当該表示装置は、第２の表示パネル１８０および表示モジュールを含む。当該第２の表示パネル１８０は、第１の表示パネル１３０のバックライトモジュールから離れた側に配置されている。当該第２の表示パネル１８０と第１の表示パネル１３０は、フォーム両面粘着テープによって接着されてもよいし、あるいは、グルーによって接着されてもよい。当該フォーム両面粘着テープは、第１の表示パネル１３０の第２の表示パネル１８０に近い側の周囲に配置されてもよい。当該表示装置は、液晶パネル、電子ペーパー、携帯電話、タブレット型コンピュータ、テレビ、ディスプレイ、ノート型コンピュータ、デジタルフォトフレーム、ナビゲーションなどの表示機能を有する任意の製品または部品であってもよい。
【００６４】
図１７に示すように、中枠１１０の上端面にクランプスロット００５を設けて第１の固定部１２１を接続する場合、第１の固定部１２１が中枠１１０の外側に接続する必要がなく、このとき、中枠１１０の外側に沿って突起１１２を１周するように配置してもよく、当該突起１１２と第１の表示パネル１３０は、第２の表示パネル１８０を配置するための溝を形成するので、第２の表示パネル１８０の組み立てを容易にする。
【００６５】
上記は、本開示の実施例にすぎず、本開示を限定することを意図するものではなく、本開示の精神および原則内で行われるいかなる修正、同等の置換、改善などは、本開示の保護の範囲内に含まれるものとする。
【符号の説明】
【００６６】
００１  貫通穴
００２  突起構造
００３  ネジ穴
００４  ボルト
００５  クランプスロット
００６  貫通穴
０１１  貫通穴
１１０  中枠
１１１  支持台
１１２  突起
１２０  固定部材
１２１Ａ  第１の端
１２１Ｂ  第２の端
１２２  第２の固定部
１３０  第１の表示パネル
１４０  バックプレート
１５０  導光板
１６０  光学フィルム
１７０  光源
１７１  回路基板
１８０  第２の表示パネル
１１１０  接着構造
１２１０  第１の固定ピース
１２１１  第２の固定ピース
【図１】
2021536029.tif 000003
【図２】
2021536029.tif 000004
【図３】
2021536029.tif 000005
【図４】
2021536029.tif 000006
【図５】
2021536029.tif 000007
【図６】
2021536029.tif 000008
【図７】
2021536029.tif 000009
【図８】
2021536029.tif 000010
【図９】
2021536029.tif 000011
【図１０】
2021536029.tif 000012
【図１１】
2021536029.tif 000013
【図１２】
2021536029.tif 000014
【図１３】
2021536029.tif 000015
【図１４】
2021536029.tif 000016
【図１５】
2021536029.tif 000017
【図１６】
2021536029.tif 000018
【図１７】
2021536029.tif 000019
【国際調査報告】
2021536029.tif 000020
2021536029.tif 000021
2021536029.tif 000022
2021536029.tif 000023